【手続補正書】
【提出日】平成28年10月18日(2016.10.18)
【手続補正１】
【補正対象書類名】特許請求の範囲
【補正対象項目名】全文
【補正方法】変更
【補正の内容】
【特許請求の範囲】
【請求項１】
直交振幅変調（ＱＡＭ）データ信号を受信するための受信機回路であって、前記受信機回路が、
受信ＱＡＭシンボルと複数の可能なコンスタレーションポイントの各々との間の複数の距離を計算することによって、前記ＱＡＭデータ信号から符号化データビットのセットを復元するための第１のデマッパ回路と、
前記第１のデマッパ回路によって復元された符号化データビットの前記セットを復号するためのデコーダ回路と、
前記復号の結果と、前記第１のデマッパ回路によって計算された前記複数の距離に少なくとも部分的に基づいて、前記受信ＱＡＭシンボルのための非符号化データビットのセットを生成するための第２のデマッパ回路と
前記第２のデマッパ回路が、第１のモードまたは第２のモードで選択的に動作可能であり、
前記第１のモードで動作しているとき、前記第２のデマッパ回路は、前記第１のデマッパ回路が符号化データビットの前記セットを復元するのと同時に非符号化データビットの前記セットを復元するためのものであり、
前記第２のモードで動作しているとき、前記第２のデマッパ回路は、前記第１のデマッパ回路によって計算された前記複数の距離と前記復号の前記結果とに関する情報を受信した後に非符号化データビットの前記セットを生成するためのものである、
を備える、受信機回路。
【請求項２】
符号化データビットの前記セットが低密度パリティチェック（ＬＤＰＣ）コードワードに対応し、前記復号の前記結果が、情報ビットのセットとパリティビットのセットとを含む、請求項１に記載の受信機回路。
【請求項３】
情報ビットの前記セットおよびパリティビットの前記セットが前記受信ＱＡＭシンボルの最下位ビット（ＬＳＢ）を表す、請求項２に記載の受信機回路。
【請求項４】
前記第２のデマッパ回路が、前記ＬＳＢを含む前記複数の可能なコンスタレーションポイントのサブセットを識別するためのものである、請求項３に記載の受信機回路。
【請求項５】
前記第２のデマッパ回路が、可能なコンスタレーションポイントの前記サブセットから、前記複数の距離の最短距離に関連付けられたコンスタレーションポイントを選択することによって、非符号化データビットの前記セットを生成するためのものである、請求項４に記載の受信機回路。
【請求項６】
非符号化データビットの前記セットが前記選択されたコンスタレーションポイントの最上位ビット（ＭＳＢ）に対応する、請求項５に記載の受信機回路。
【請求項７】
前記ＱＡＭデータ信号中の雑音を検出し、前記検出された雑音に基づいて前記第１のモードまたは前記第２のモードのいずれかを選択するための雑音検出器
をさらに備える、請求項１に記載の受信機回路。
【請求項８】
直交振幅変調（ＱＡＭ）データ信号をデマッピングする方法であって、前記方法が、
受信ＱＡＭシンボルと複数の可能なコンスタレーションポイントの各々との間の複数の距離を計算することによって、前記ＱＡＭデータ信号から符号化データビットのセットを復元することと、
符号化データビットの前記セットを復号することと、
前記復号の結果と、前記複数の距離に少なくとも部分的に基づいて前記受信ＱＡＭシンボルのための非符号化データビットのセットを生成することと
第１のモードまたは第２のモードで選択的に動作することと、
前記第１のモードで動作しているとき、符号化データビットの前記セットを前記復元することと同時に非符号化データビットの前記セットを復元することと、
前記第２のモードで動作しているとき、計算された前記複数の距離と前記復号の前記結果とに関する情報を受信した後に非符号化データビットの前記セットを生成することと、
を備える、方法。
【請求項９】
符号化データビットの前記セットが低密度パリティチェック（ＬＤＰＣ）コードワードに対応し、前記復号の前記結果が、情報ビットのセットとパリティビットのセットとを含む、請求項８に記載の方法。
【請求項１０】
情報ビットの前記セットおよびパリティビットの前記セットが前記受信ＱＡＭシンボルの最下位ビット（ＬＳＢ）を表す、請求項９に記載の方法。
【請求項１１】
前記ＬＳＢを含む前記複数の可能なコンスタレーションポイントのサブセットを識別すること
をさらに備える、請求項１０に記載の方法。
【請求項１２】
非符号化データビットの前記セットを生成することが、可能なコンスタレーションポイントの前記サブセットから、前記複数の距離の最短距離に関連付けられたコンスタレーションポイントを選択することを含む、請求項１１に記載の方法。
【請求項１３】
非符号化データビットの前記セットが前記選択されたコンスタレーションポイントの最上位ビット（ＭＳＢ）に対応する、請求項１２に記載の方法。
【請求項１４】
非符号化データビットの前記セットを生成することが、
前記ＱＡＭデータ信号中の雑音を検出することと、
前記検出された雑音に基づいて非符号化データビットの前記セットを生成するために前記複数の距離を選択的に使用することと
を備える、請求項８に記載の方法。
【請求項１５】
コンピュータプログラムであって、コンピュータ上で動作するとき請求項８から１４のいずれかに記載の方法を実行するための命令を備える、コンピュータプログラム。
【手続補正２】
【補正対象書類名】明細書
【補正対象項目名】００５２
【補正方法】変更
【補正の内容】
【００５２】
[0058]  上記の明細書では、本実施形態について、それの特定の例示的な実施形態を参照しながら説明した。しかしながら、添付の特許請求の範囲に記載された本開示のより広い範囲から逸脱することなく、様々な改変および変更がそれに行われ得ることは明らかであろう。したがって、本明細書および図面は、限定的な意味ではなく例示的な意味で考慮されるべきである。たとえば、図８のフローチャートに示された方法ステップは他の好適な順序で実行され得、複数のステップは単一のステップに組み合わせられ得、および／またはいくつかのステップは省略され得る。
以下に、本願出願の当初の特許請求の範囲に記載された発明を付記する。
［Ｃ１］
直交振幅変調（ＱＡＭ）データ信号を受信するための受信機回路であって、前記受信機回路が、
受信ＱＡＭシンボルと複数の可能なコンスタレーションポイントの各々との間の複数の距離を計算することによって、前記ＱＡＭデータ信号から符号化データビットのセットを復元するための第１のデマッパ回路と、
前記第１のデマッパ回路によって計算された前記複数の距離に少なくとも部分的に基づいて、前記受信ＱＡＭシンボルのための非符号化データビットのセットを生成するための第２のデマッパ回路と
を備える、受信機回路。
［Ｃ２］
前記第１のデマッパ回路によって復元された符号化データビットの前記セットを復号するためのデコーダ回路
をさらに備える、Ｃ１に記載の受信機回路。
［Ｃ３］
前記第２のデマッパ回路が、前記復号の結果と、前記第１のデマッパ回路によって計算された前記複数の距離とに基づいて、非符号化データビットの前記セットを生成するためのものである、Ｃ２に記載の受信機回路。
［Ｃ４］
符号化データビットの前記セットが低密度パリティチェック（ＬＤＰＣ）コードワードに対応し、前記復号の前記結果が、情報ビットのセットとパリティビットのセットとを含む、Ｃ３に記載の受信機回路。
［Ｃ５］
情報ビットの前記セットおよびパリティビットの前記セットが前記受信ＱＡＭシンボルの最下位ビット（ＬＳＢ）を表す、Ｃ４に記載の受信機回路。
［Ｃ６］
前記第２のデマッパ回路が、前記ＬＳＢを含む前記複数の可能なコンスタレーションポイントのサブセットを識別するためのものである、Ｃ５に記載の受信機回路。
［Ｃ７］
前記第２のデマッパ回路が、可能なコンスタレーションポイントの前記サブセットから、前記複数の距離の最短距離に関連付けられたコンスタレーションポイントを選択することによって、非符号化データビットの前記セットを生成するためのものである、Ｃ６に記載の受信機回路。
［Ｃ８］
非符号化データビットの前記セットが前記選択されたコンスタレーションポイントの最上位ビット（ＭＳＢ）に対応する、Ｃ７に記載の受信機回路。
［Ｃ９］
前記第２のデマッパ回路が、第１のモードまたは第２のモードで選択的に動作可能であり、
前記第１のモードで動作しているとき、前記第２のデマッパ回路は、前記第１のデマッパ回路が符号化データビットの前記セットを復元するのと同時に非符号化データビットの前記セットを復元するためのものであり、
前記第２のモードで動作しているとき、前記第２のデマッパ回路は、前記第１のデマッパ回路によって計算された前記複数の距離と前記復号の前記結果とに関する情報を受信した後に非符号化データビットの前記セットを生成するためのものである、
Ｃ３に記載の受信機回路。
［Ｃ１０］
前記ＱＡＭデータ信号中の雑音を検出し、前記検出された雑音に基づいて前記第１のモードまたは前記第２のモードのいずれかを選択するための雑音検出器
をさらに備える、Ｃ９に記載の受信機回路。
［Ｃ１１］
前記雑音検出器は、前記検出された雑音が第１のしきい値レベルを上回る場合に前記第２のモードを選択する、Ｃ１０に記載の受信機回路。
［Ｃ１２］
直交振幅変調（ＱＡＭ）データ信号をデマッピングする方法であって、前記方法が、
受信ＱＡＭシンボルと複数の可能なコンスタレーションポイントの各々との間の複数の距離を計算することによって、前記ＱＡＭデータ信号から符号化データビットのセットを復元することと、
前記複数の距離に少なくとも部分的に基づいて前記受信ＱＡＭシンボルのための非符号化データビットのセットを生成することと
を備える、方法。
［Ｃ１３］
非符号化データビットの前記セットを生成することが、
符号化データビットの前記セットを復号することと、
前記復号の結果と前記複数の距離とに基づいて非符号化データビットの前記セットを生成することと
を備える、Ｃ１２に記載の方法。
［Ｃ１４］
符号化データビットの前記セットが低密度パリティチェック（ＬＤＰＣ）コードワードに対応し、前記復号の前記結果が、情報ビットのセットとパリティビットのセットとを含む、Ｃ１３に記載の方法。
［Ｃ１５］
情報ビットの前記セットおよびパリティビットの前記セットが前記受信ＱＡＭシンボルの最下位ビット（ＬＳＢ）を表す、Ｃ１４に記載の方法。
［Ｃ１６］
前記ＬＳＢを含む前記複数の可能なコンスタレーションポイントのサブセットを識別すること
をさらに備える、Ｃ１５に記載の方法。
［Ｃ１７］
非符号化データビットの前記セットを生成することが、可能なコンスタレーションポイントの前記サブセットから、前記複数の距離の最短距離に関連付けられたコンスタレーションポイントを選択することを含む、Ｃ１６に記載の方法。
［Ｃ１８］
非符号化データビットの前記セットが前記選択されたコンスタレーションポイントの最上位ビット（ＭＳＢ）に対応する、Ｃ１７に記載の方法。
［Ｃ１９］
非符号化データビットの前記セットを生成することが、
前記ＱＡＭデータ信号中の雑音を検出することと、
前記検出された雑音に基づいて非符号化データビットの前記セットを生成するために前記複数の距離を選択的に使用することと
を備える、Ｃ１２に記載の方法。
［Ｃ２０］
非符号化データビットの前記セットを生成するために前記複数の距離を選択的に使用することは、
前記検出された雑音がしきい値レベルを上回る場合に前記複数の距離に基づいて非符号化データビットの前記セットを生成すること
を備える、Ｃ１９に記載の方法。
［Ｃ２１］
通信デバイス内に設けられたプロセッサによって実行されたとき、
直交振幅変調（ＱＡＭ）データ信号を受信することと、
受信ＱＡＭシンボルと複数の可能なコンスタレーションポイントの各々との間の複数の距離を計算することによって、前記ＱＡＭデータ信号から符号化データビットのセットを復元することと、
前記複数の距離に少なくとも部分的に基づいて前記受信ＱＡＭシンボルのための非符号化データビットのセットを生成することと
を前記デバイスに行わせるプログラム命令を含んでいるコンピュータ可読記憶媒体。
［Ｃ２２］
非符号化データビットの前記セットを生成するための前記プログラム命令の実行が、
符号化データビットの前記セットを復号することと、
前記復号の結果と前記複数の距離とに基づいて非符号化データビットの前記セットを生成することと
を前記デバイスに行わせる、Ｃ２１に記載のコンピュータ可読記憶媒体。
［Ｃ２３］
符号化データビットの前記セットが低密度パリティチェック（ＬＤＰＣ）コードワードに対応し、前記復号の前記結果が、情報ビットのセットとパリティビットのセットとを含む、Ｃ２２に記載のコンピュータ可読記憶媒体。
［Ｃ２４］
情報ビットの前記セットおよびパリティビットの前記セットが前記受信ＱＡＭシンボルの最下位ビット（ＬＳＢ）を表す、Ｃ２３に記載のコンピュータ可読記憶媒体。
［Ｃ２５］
前記ＬＳＢを含む前記複数の可能なコンスタレーションポイントのサブセットを識別すること
を前記デバイスに行わせるプログラム命令をさらに備える、Ｃ２４に記載のコンピュータ可読記憶媒体。
［Ｃ２６］
非符号化データビットの前記セットを生成するための前記プログラム命令の実行が、
可能なコンスタレーションポイントの前記サブセットから、前記複数の距離の最短距離に関連付けられたコンスタレーションポイントを選択すること
を前記デバイスに行わせる、Ｃ２５に記載のコンピュータ可読記憶媒体。
［Ｃ２７］
非符号化データビットの前記セットが前記選択されたコンスタレーションポイントの最上位ビット（ＭＳＢ）に対応する、Ｃ２６に記載のコンピュータ可読記憶媒体。
［Ｃ２８］
非符号化データビットの前記セットを生成するための前記プログラム命令の実行が、
前記ＱＡＭデータ信号中の雑音を検出することと、
前記検出された雑音に基づいて非符号化データビットの前記セットを生成するために前記複数の距離を選択的に使用することと
を前記デバイスに行わせる、Ｃ２１に記載のコンピュータ可読記憶媒体。
［Ｃ２９］
非符号化データビットの前記セットを生成するために前記複数の距離を選択的に使用するための前記プログラム命令の実行は、
前記検出された雑音がしきい値レベルを上回る場合に前記複数の距離に基づいて非符号化データビットの前記セットを生成すること
を前記デバイスに行わせる、Ｃ２８に記載のコンピュータ可読記憶媒体。
［Ｃ３０］
直交振幅変調（ＱＡＭ）データ信号を受信するための受信機回路であって、前記受信機回路が、
受信ＱＡＭシンボルと複数の可能なコンスタレーションポイントの各々との間の複数の距離を計算することによって、前記ＱＡＭデータ信号から符号化データビットのセットを復元するための手段と、
前記複数の距離に少なくとも部分的に基づいて前記受信ＱＡＭシンボルのための非符号化データビットのセットを生成するための手段と
を備える、受信機回路。
［Ｃ３１］
非符号化データビットの前記セットを生成するための前記手段が、
符号化データビットの前記セットを復号することと、
前記復号の結果と前記複数の距離とに基づいて非符号化データビットの前記セットを生成することと
を行うためのものである、Ｃ３０に記載の受信機回路。
［Ｃ３２］
符号化データビットの前記セットが低密度パリティチェック（ＬＤＰＣ）コードワードに対応し、前記復号の前記結果が、情報ビットのセットとパリティビットのセットとを含む、Ｃ３１に記載の受信機回路。
［Ｃ３３］
情報ビットの前記セットおよびパリティビットの前記セットが前記受信ＱＡＭシンボルの最下位ビット（ＬＳＢ）を表す、Ｃ３２に記載の受信機回路。
［Ｃ３４］
前記ＬＳＢを含む前記複数の可能なコンスタレーションポイントのサブセットを識別するための手段
をさらに備える、Ｃ３３に記載の受信機回路。
［Ｃ３５］
非符号化データビットの前記セットを生成するための前記手段が、
可能なコンスタレーションポイントの前記サブセットから、前記複数の距離の最短距離に関連付けられたコンスタレーションポイントを選択すること
を行うためのものである、Ｃ３４に記載の受信機回路。
［Ｃ３６］
非符号化データビットの前記セットが前記選択されたコンスタレーションポイントの最上位ビット（ＭＳＢ）に対応する、Ｃ３５に記載の受信機回路。
［Ｃ３７］
非符号化データビットの前記セットを生成するための前記手段が、
前記ＱＡＭデータ信号中の雑音を検出することと、
前記検出された雑音に基づいて非符号化データビットの前記セットを生成するために前記複数の距離を選択的に使用することと
を行うためのものである、Ｃ３０に記載の受信機回路。
［Ｃ３８］
非符号化データビットの前記セットを生成するための前記手段は、
前記検出された雑音がしきい値レベルを上回る場合に前記複数の距離に基づいて非符号化データビットの前記セットを生成すること
をさらに行うためのものである、Ｃ３７に記載の受信機回路。